(57)【要約】【課題】コスト的に有利であるとともに、寸法の自由度が高いダミーモジュールを提供すること。【解決手段】ユニット建物ＵＢの屋根面２２に、太陽光発電モジュールＰＶを模して設置されるダミーモジュール３０であって、アルミ型材製で板状のパネル面材３１と、パネル面材３１の端縁部が嵌め合わされたアルミ型材製の嵌合部３２ａを有し、屋根面２２に固定される受材３２と、を備える。したがって、太陽光発電モジュールＰＶと同様の構成でダミーモジュールを形成するものと比較して、コスト的に有利であるとともに、寸法の自由度が高い。【選択図】図２Ａ
2019190145.tif 000002
【特許請求の範囲】
【請求項１】
建物の屋根面に、太陽光発電モジュールを模して設置されるダミーモジュールであって、
金属製で板状の面材と、
前記面材の端縁部が嵌め合わされた嵌合部を有し、前記屋根面に固定される受材と、
を備えるダミーモジュール。
【請求項２】
請求項１に記載のダミーモジュールにおいて、
前記面材は、複数のモジュール面材を結合させて形成されているダミーモジュール。
【請求項３】
請求項２に記載のダミーモジュールにおいて、
前記面材は、平面形状が矩形に形成され、
前記嵌合部は、前記面材の対向する２辺のそれぞれの前記端縁部の全長に亘って嵌合可能に形成され、
前記モジュール面材は、前記嵌合部に嵌合された前記端縁部に直交する方向の２辺間に亘る全長を有し、かつ、前記端縁部に沿う方向で複数に分割された帯板状に形成されているダミーモジュール。
【請求項４】
請求項２または請求項３に記載のダミーモジュールにおいて、
前記モジュール面材は、隣り合って配置された前記モジュール面材どうしで嵌り合う第２の嵌合部を有し、かつ、前記第２の嵌合部を締結部材により締結して結合されているダミーモジュール。
【請求項５】
請求項１〜請求項４のいずれか１項に記載のダミーモジュールにおいて、
前記面材の裏面に、前記面材と前記屋根面との間に介在されるバックアップ材が接合されているダミーモジュール。
【請求項６】
請求項１〜請求項５のいずれか１項に記載のダミーモジュールが前記屋根面に設置された屋根。
【請求項７】
請求項６に記載の屋根において、
前記屋根面に、前記ダミーモジュールに加え、複数の太陽光発電モジュールが並設されている屋根。
【請求項８】
請求項７に記載の屋根において、
前記ダミーモジュールは、前記受材が、前記屋根面に固定された取付ブラケットに結合されている屋根。
【請求項９】
請求項７に係る発明を引用する請求項８に記載の屋根において、
前記太陽光発電モジュールは、前記取付ブラケットを共用して、前記取付ブラケットに結合されている屋根。
【発明の詳細な説明】
【技術分野】
【０００１】
本開示は、ダミーモジュールおよび屋根に関するものである。
【背景技術】
【０００２】
従来、建物の屋根に所定の大きさの太陽光発電モジュールを設置することはよく知られている（例えば、特許文献１参照）。
また、屋根葺き材料として、太陽光発電モジュールと外観上同様であるが、発電には利用されないダミーモジュールを用いる技術も提案されている（例えば、特許文献２参照）。
特許文献２には、北向きの屋根面など、太陽光発電モジュールの非設置部分に、太陽光発電モジュールを模したダミーモジュールを設置することが記載されている。そして、この特許文献２では、ダミーモジュールを、太陽光発電モジュールの半導体光電変換層において、ｐｉｎ型光電変換ユニット層中のｐ層またはｎ層のいずれかが省略された構造とすることで、太陽光発電モジュールと変わらない外観を得ることが記載されている。
【先行技術文献】
【特許文献】
【０００３】
【特許文献１】特開２００８−８８６８７号公報
【特許文献２】特開２００１−２７０２３号公報
【発明の概要】
【発明が解決しようとする課題】
【０００４】
しかしながら、上記従来のダミーモジュールは、外観品質は優れるものの、発電を行わないにもかかわらず、基板の主面上に、第１電極層、半導体光電変換層、第２電極層を積層した構造であるため、相対的に高価なものとなる。加えて、その平面の寸法も、太陽光発電モジュールの寸法上の制約を受けて、屋根に設置した際に、屋根面にモジュールが設置されないモジュール非領域が生じ、外観品質の低下を招くおそれがあった。
【０００５】
本開示は、上述の問題に着目して成されたもので、コスト的に有利であるとともに、寸法の自由度が高いダミーモジュールの提供およびこのダミーモジュールを備えた屋根の提供を目的としている。
【課題を解決するための手段】
【０００６】
この目的を達成するため、本開示のダミーモジュールは、
建物の屋根面に、太陽光発電モジュールを模して設置されるダミーモジュールであって、
金属製で板状の面材と、
前記面材の端縁部が嵌め合わされた嵌合部を有し、前記屋根面に固定される受材と、
を備えるダミーモジュールとした。
また、本開示の屋根は、本開示のダミーモジュールが設置された屋根である。
【発明の効果】
【０００７】
本開示のダミーモジュールは、金属製の板状の面材の端縁部を受材の嵌合部に嵌合させた状態で、受材を屋根面に固定する。したがって、太陽光発電モジュールと同様の構成でダミーモジュールを形成するものと比較して、コスト的に有利であるとともに、寸法の自由度が高い。
よって、本開示の屋根では、屋根面に、コスト的に有利であるとともに、寸法の自由度が高いダミーモジュールを備えた屋根を提供することができる。
【図面の簡単な説明】
【０００８】
【図１】実施の形態１のダミーモジュールが敷設された屋根を備えるユニット建物の概略を示す斜視図である。
【図２Ａ】実施の形態１のダミーモジュールを表側から見た斜視図である。
【図２Ｂ】実施の形態１のダミーモジュールを裏側から見た斜視図である。
【図３】実施の形態１のダミーモジュールの断面図であって、図５ＡのＳ３−Ｓ３線の位置での断面を示す。
【図４Ａ】実施の形態１のダミーモジュールのパネル面材を形成する第１のモジュール面材を示す断面図である。
【図４Ｂ】実施の形態１のダミーモジュールのパネル面材を形成する第２のモジュール面材を示す断面図である。
【図４Ｃ】実施の形態１のダミーモジュールのパネル面材を形成する第３のモジュール面材を示す断面図である。
【図５Ａ】実施の形態１のダミーモジュールの平面図である。
【図５Ｂ】実施の形態１のダミーモジュールの正面図である。
【図５Ｃ】実施の形態１のダミーモジュールの底面図である。
【図５Ｄ】実施の形態１のダミーモジュールの側面図である。
【図６】実施の形態１のダミーモジュールの要部（図５Ｄの一点鎖線Ｅ６で囲んだ部分）を示す拡大側面図である。
【図７】実施の形態１のダミーモジュールの要部（図５Ｂの一点鎖線Ｅ７で囲んだ部分）を示す拡大正面図である。
【図８】実施の形態１のダミーモジュールが敷設された屋根の要部であって、ケラバを含む箇所を示す断面図である。
【図９】実施の形態１のダミーモジュールが敷設された屋根の要部であって、軒先を含む箇所を示す断面図である。
【図１０】実施の形態１のダミーモジュールが敷設された屋根の要部であって、図８の一点鎖線Ｅ１０で囲む箇所の拡大断面図である。
【図１１Ａ】実施の形態１のダミーモジュールが敷設された屋根の要部であって、図８の一点鎖線Ｅ１１で囲む箇所の拡大断面図である。
【図１１Ｂ】実施の形態１のダミーモジュールが敷設された屋根の要部であって、図８の一点鎖線Ｅ１１で囲む箇所において図１１Ａとは異なる仕様の拡大断面図である。
【図１２Ａ】実施の形態２の屋根を示す平面図である。
【図１２Ｂ】実施の形態２の屋根の南側の傾斜屋根面を示す正面図である。
【図１２Ｃ】実施の形態２の屋根の東側あるいは西側の傾斜屋根面を示す側面図である。
【発明を実施するための形態】
【０００９】
以下、本開示の実施の形態を図面に基づいて説明する。
［実施の形態１］
まず、本開示の実施の形態１のダミーモジュールおよび屋根を適用するユニット建物ＵＢについて説明する。
（ユニット建物の構成）
図１は、戸建住宅などのユニット建物ＵＢを示す斜視図である。
このユニット建物ＵＢは、複数の建物ユニット１０と、これらの建物ユニット１０の上に設置された屋根２０とを備える。
【００１０】
建物ユニット１０は、予め工場で製造され、平面視で四角形の直方体状に形成されている。そして、これらの建物ユニット１０を建築現場へ搬送して、建築現場で組み立てることにより、短期間のうちにユニット建物ＵＢを構築できる。
【００１１】
屋根２０は、棟２１を挟んで南側の屋根面２２と北側の屋根面２３とを有する切妻式の屋根である。なお、図１において矢印Ｓが南方向を示し、矢印Ｎが北方向を示し、矢印Ｅが東方向を示し、矢印Ｗが西方向を示す。
【００１２】
南側の屋根面２２は、太陽光発電モジュールＰＶおよびダミーモジュール３０とから成るモジュール群ＭＧにより覆われている。なお、太陽光発電モジュールＰＶおよびダミーモジュール３０は、それぞれ、屋根２０の傾斜方向（矢印ＳＬ方向）の長辺と棟２１に沿う方向の短辺とを備えた平面視で略長方形に形成されている。
【００１３】
そして、モジュール群ＭＧは、太陽光発電モジュールＰＶが複数列、複数行並設された太陽光発電モジュール群ＭＧ１と、複数のダミーモジュール３０が傾斜方向に並設されたダミーモジュール縦列群ＭＧ２とを備える。
【００１４】
太陽光発電モジュール群ＭＧ１は、太陽光発電モジュールＰＶを、その長辺を屋根２０の傾斜に沿う方向（矢印ＳＬ方向）に向けて、屋根２０の傾斜に沿って並設した縦列群を、屋根２０の西側のケラバ２４ｗから棟２１に沿う方向に複数行並設して設置されている。
【００１５】
ダミーモジュール３０は、屋根２０の東側のケラバ２４ｅの部分に生じた太陽光発電モジュールＰＶの非設置領域ＮＩＡに設置されている。ダミーモジュール縦列群ＭＧ２は、太陽光発電モジュール群ＭＧ１と破風２５との間の非設置領域ＮＩＡにおいて、ダミーモジュール３０を、その長辺に沿う方向を屋根２０の傾斜に沿う方向（矢印ＳＬの方向）に向け破風２５に沿って複数並設して形成されている。
【００１６】
次に、ダミーモジュール３０の構造およびダミーモジュール３０の設置構造について説明する。
＜ダミーモジュールの構造＞
ダミーモジュール３０は、前述のように、平面視で略長方形を成すもので、ダミーモジュール３０の斜視図である図２Ａに示すように、パネル面材３１と受材３２，３２とを備える。そして、図３に示すように、パネル面材３１の長手方向両端部が、それぞれ受材３２に嵌合されている。
【００１７】
この嵌合について説明すると、受材３２は、アルミニウムなどの金属製の型材により形成され、略コの字断面形状の嵌合部３２ａと、この嵌合部から下方に延在された略Ｌ字断面状の脚部３２ｂとが、一体に形成されている。そして、パネル面材３１は、図６に拡大して示すように、後述する本体３１ａの上板部３１ｂの端縁部を、嵌合部３２ａに差し込んで嵌め合わせた状態で、ブラインドリベット３３により受材３２に結合されている。
【００１８】
＜パネル面材の構造＞
パネル面材３１は、図２Ａに示すように、複数のモジュール面材３４，３５，３６を、横方向（設置時に棟２１に沿う方向であって矢印ＬＤ方向）に並設し結合して形成されている。なお、パネル面材３１は、太陽光発電モジュールＰＶを模して同様の着色（例えば、黒色）が施されている。
【００１９】
モジュール面材３４〜３６は、それぞれ、アルミニウムなどの金属製の型材で形成されている。そして、本実施の形態１では、モジュール面材３４〜３６は、幅および形状が異なり、これらを区別して、第１のモジュール面材３４（図４Ａ参照）、第２のモジュール面材３５（図４Ｂ参照）、第３のモジュール面材３６（図４Ｃ参照）と称する。
【００２０】
第１のモジュール面材３４は、図４Ａに示すように、本体３４１と、雌嵌合片３４２と、雄嵌合片３４３と、を備える。
本体３４１は、設置時に上面となる平面視が長方形（図２参照）の帯状の上板部３４１ａと、この上板部３４１ａの幅方向（矢印ＬＤの方向であり、設置時に棟２１に沿う方向である）の両端縁から下方に突出されたフランジ部３４１ｂ，３４１ｃとを備える。
【００２１】
雌嵌合片３４２は、水平片３４２ａと、爪部３４２ｂと、凹状溝３４２ｃとを備える。
水平片３４２ａは、一方のフランジ部３４１ｂの下端から、第１のモジュール面材３４の外側方向に略水平に突出されている。爪部３４２ｂは、水平片３４２ａの先端から上方に突出されている。凹状溝３４２ｃは、フランジ部３４１ｂ、水平片３４２ａ、爪部３４２ｂとにより凹溝状に形成されている。
【００２２】
雄嵌合片３４３は、もう一方のフランジ部３４１ｃから、第１のモジュール面材３４の内側方向に上板部３４１ａと略平行に突出され、その幅方向寸法が、雌嵌合片３４２の凹状溝３４２ｃに上下方向に嵌り合う寸法に形成されている。
【００２３】
さらに、第１のモジュール面材３４の上板部３４１ａの裏面には、図２Ｂに示すバックアップ材４０が設けられている。バックアップ材４０は、合成樹脂（例えば、ポリプロピレン）により角柱状に形成された部材であり、第１のモジュール面材３４の幅方向の両側端部において、長辺に沿う方向に延在されて接着されている。
なお、バックアップ材４０の接着には、両面にアスファルト接着剤を備えた防水性を有した両面接着テープ（不図示）が用いられている。
【００２４】
第２のモジュール面材３５は、図４Ｂに示すように、第１のモジュール面材３４と同様の形状で幅寸法が異なる本体３５１と、雌嵌合片３５２と、雄嵌合片３５３とを備える。なお、本体３５１は、上板部３５１ａおよびフランジ部３５１ｂ，３５１ｃを有する。
この第２のモジュール面材３５と、第１のモジュール面材との相違点は、上板部３５１ａの幅寸法Ｗ２が、第１のモジュール面材３４の上板部の幅寸法Ｗ１よりも大きな寸法に形成されている点である。一方、雌嵌合片３５２および雄嵌合片３５３は、相互に嵌合可能なように、第１のモジュール面材３４の雌嵌合片３４２および雄嵌合片３４３と同寸法、同形状に形成されている。
【００２５】
また、図２Ｂに示すように、第２のモジュール面材３５にも、上板部３５１ａの裏面にバックアップ材４０が接着されている。なお、第１のモジュール面材３４は、２個のバックアップ材４０が設けられていたが、第２のモジュール面材３５では、幅方向の略中央に、１個のバックアップ材４０が接着されている。
【００２６】
第３のモジュール面材３６は、図４Ｃに示すように、第１のモジュール面材３４と同様の本体３６１を備えるとともに、上板部３６１ａから垂下された両フランジ部３６１ｂ，３６１ｃに、雄嵌合片３６３，３６３が設けられている。なお、両雄嵌合片３６３は、第１のモジュール面材３４および第２のモジュール面材３５の、各凹状溝３４２ｃ，３５２ｃに嵌合可能に形成されている。
また、第３のモジュール面材３６では、第１のモジュール面材３４と同様に、上板部３６１ａの裏面の幅方向両端部に２個のバックアップ材４０，４０が設けられている。
【００２７】
パネル面材３１は、各モジュール面材３４，３５，３６を幅方向に並設し、隣り合う一方の雌嵌合片３４２，３５２の凹状溝３４２ｃ，３５２ｃに、隣り合う各面材３４，３５，３６の雄嵌合片３４３，３５３，３６３を嵌合させた状態で結合して形成されている。図７は、モジュール面材３５，３５の結合箇所を拡大して示すもので、上記のように、凹状溝３５２ｃに、隣り合うモジュール面材３５の雄嵌合片３５３を嵌合させた状態で、結合部材としてブラインドリベット５１を用いて結合している。
【００２８】
図５Ａ〜図４Ｄに示すダミーモジュール３０では、１枚の第１のモジュール面材３４と、２枚の第２のモジュール面材３５，３５と、１枚の第３のモジュール面材３６とを結合してパネル面材３１を形成した例を示している。
【００２９】
すなわち、幅方向（矢印ＬＤ方向）の両端に第１のモジュール面材３４と第３のモジュール面材３６とを配置し、その間に、２枚の第２のモジュール面材３５，３５を配置して結合している。なお、第２のモジュール面材３５の設置数は、ダミーモジュール３０の設置箇所の幅に応じて適宜設定する。
【００３０】
図１に示す屋根２０に適用したダミーモジュール３０は、パネル面材３１として、最も幅が狭いタイプのものであり、第１のモジュール面材３４と第３のモジュール面材３６とを直接結合し、第２のモジュール面材３５を備えないものである。
【００３１】
したがって、受材３２は、各モジュール面材３４〜３６の結合の組み合わせにより設定されるパネル面材３１の幅に応じ、複数の横幅寸法のものが設定されている。そして、ダミーモジュール３０を設置する位置の幅に応じて設定されたパネル面材３１が、それぞれ、その幅に応じた幅寸法の受材３２と結合されてダミーモジュール３０が形成される。
【００３２】
（ダミーモジュールの設置構造）
次に、ダミーモジュール３０の設置構造について説明する。
図９は、ダミーモジュール３０および屋根２０の断面図である。
ここで、ダミーモジュール３０の設置構造を説明する前に、まず、屋根２０の構造について簡単に説明する。
屋根２０は、棟２１から軒先まで傾斜して延びる垂木２０１と、垂木２０１の上側に設けられた野地板２０２を有する。また、垂木２０１の間には母屋２１０，２１０ｂが架け渡されている。
【００３３】
また、野地板２０２の上面には、下地鋼板２０３が設けられている。この下地鋼板２０３は、ステンレス鋼（ＳＵＳ）などの金属により薄板状に形成され、幅方向の両端部にはフランジ２０３ａ（図８参照）が立ち上げられている。なお、本実施の形態１では、図８に示すように、１枚の下地鋼板２０３の上に、２列の太陽光発電モジュールＰＶと１列（ダミーモジュール縦列群ＭＧ２）のダミーモジュール３０とが設置されている。
【００３４】
さらに、図８において一点鎖線Ｅ１１で囲んだ領域を拡大して示す図１１Ａに示すように、破風２５は、破風カバー部材２２０に覆われている。破風カバー部材２２０は、下地カバー２２１、上側カバー２２２、下側カバー２２３を結合して形成されている。
【００３５】
下地カバー２２１は、略コの字断面状に形成され、野地板２０２に固定されたベース片２２１ａ、ベース片２２１ａから立ち上げられた垂直片２２１ｂと、垂直片２２１ｂの上端から略水平に延在されてベース片２２１ａに対向した支持片２２１ｃとを備える。
上側カバー２２２は、下地カバー２２１の支持片２２１ｃにドリル螺子２３１により固定され、その下端部が下側カバー２２３に係合されている。なお、上側カバー２２２と支持片２２１ｃとが重なる部分には、両者の間に、シール材（不図示）が充填されている。
下側カバー２２３は、垂木２０１の側面および下面を覆った状態で、ドリル螺子２３２により垂木２０１に固定されている。
【００３６】
なお、図９に示すように、軒先に沿って雨樋２０５が設けられている。この雨樋２０５は、鼻隠し２０４に固定された軒樋ブラケット２０６に支持されている。
また、軒先には、ダミーモジュール３０の下端に取り付けられたフッ素樹脂鋼板製の軒先カバー２０７と、下地鋼板２０３の下端に取り付けられた軒先水切２０８を備える。
なお、軒先の下面は、軒天パネル２０９により覆われている。
【００３７】
（ダミーモジュールの設置構造）
ダミーモジュール３０は、受材３２の脚部３２ｂが、屋根面２２に固定された取付ブラケット７０に固定されている。
取付ブラケット７０は、支持パネル７１と、支持パネル７１の屋根２０の傾斜方向（矢印ＳＬ方向）の両端に一体に設けられた脚部７２，７２とにより、略ハット断面形状に形成されている。そして、取付ブラケット７０は、ダミーモジュール３０の傾斜方向の両端の位置において、隣り合うダミーモジュール３０に跨るように設けられている。また、取付ブラケット７０は、図８に示すように、ダミーモジュール３０の幅方向（図８の左右方向）の両端に配置されている。なお、図８に示すように、取付ブラケット７０は、太陽光発電モジュールＰＶの取り付けにも共用されている。よって、取付ブラケット７０は、太陽光発電モジュールＰＶの幅方向の両端部の位置であって、図示は省略するが屋根面２２の傾斜方向で太陽光発電モジュールＰＶの両端部の位置に配置されている。
【００３８】
図９に戻り、この取付ブラケット７０の支持パネル７１に、ダミーモジュール３０の受材３２の脚部３２ｂが重ねられて、ボルト８１，８１を締結して固定されている。そして、屋根２０の傾斜方向に隣り合うダミーモジュール３０どうしの間の隙間部分は、横方向カバー３１０に覆われている。なお、ダミーモジュール縦列群ＭＧ２において、最も下側に配置されたダミーモジュール３０が固定された取付ブラケット７０には、アルミニウム製の雪止め金具９０がボルト８１により固定されている。
【００３９】
また、図８に示すように、太陽光発電モジュールＰＶも、取付ブラケット７０にボルト８１により固定されている。また、図示は省略するが屋根２０の傾斜方向に隣り合う太陽光発電モジュールＰＶどうしの間の隙間部分にも、横方向カバー３１０に覆われている。
ここで、太陽光発電モジュールＰＶは、上側から順にガラス板（不図示）、セル（不図示）、バックシートフィルム（不図示）を積層し、太陽光を受けて発電を行う本体４００と、この本体４００の幅方向両端に固定された端部枠４１０とを備える。また、太陽光発電モジュールＰＶの屋根２０の傾斜方向の両端部には、図示は省略するが受材３２と同様のブラケットを有し、このブラケットがボルト８１により取付ブラケット７０に固定されている。
なお、ダミーモジュール３０および太陽光発電モジュールＰＶは、ボルト８１により固定されているため、補修時などには、ボルト８１を緩めることで、屋根面２２から取り外すことが可能となっている。
【００４０】
さらに、図１０に示すように、横方向（設置時に棟２１に沿う方向であって矢印ＬＤ方向）に隣り合う太陽光発電モジュールＰＶとダミーモジュール３０との間には、縦方向カバー３２０が設けられている。なお、この縦方向カバー３２０は、裏面にカバー受金具３３０が固定され、このカバー受金具３３０が太陽光発電モジュールＰＶおよびダミーモジュール３０に固定されている。また、縦方向カバー３２０は、太陽光発電モジュールＰＶどうしの間にも設けられている。
【００４１】
また、図１１Ａに示すように、ダミーモジュール３０と破風カバー部材２２０とには、カバー水切３４０が架け渡されている。さらに、ケラバ水切３５０が、カバー水切３４０の上方に配置されて破風カバー部材２２０に取り付けられている。
【００４２】
なお、図１１Ｂは、ケラバ２４ｅの別仕様を示し、ケラバ水切３５０を設置しない仕様となっている。
（実施の形態１の効果）
以下に、実施の形態１のダミーモジュールの効果を列挙する。
(1)実施の形態１のダミーモジュールの設置構造は、
ユニット建物ＵＢの屋根面２２に、太陽光発電モジュールＰＶを模して設置されるダミーモジュール３０であって、
アルミ型材製で板状のパネル面材３１と、
パネル面材３１の端縁部が嵌め合わされた嵌合部３２ａを有し、屋根面２２に固定される受材３２と、
を備える。
したがって、太陽光発電モジュールＰＶと同様の構成でダミーモジュールを形成するものと比較して、コスト的に有利であるとともに、寸法の自由度が高い。
【００４３】
(2)実施の形態１のダミーモジュールは、
パネル面材３１は、複数のモジュール面材３４，３５，３６を結合させて形成されている。
したがって、ダミーモジュール３０を形成するパネル面材３１の幅寸法を、モジュール面材３４，３５，３６の結合数および組み合わせにより設定することができる。よって、例えば、パネル面材３１を１枚の板材により形成するものと比較して、種々の幅サイズを設定するのが容易である。
【００４４】
(3)実施の形態１のダミーモジュールは、
パネル面材３１は、平面形状が矩形に形成され、
嵌合部３２ａは、パネル面材３１の対向する２辺のそれぞれの端縁部の全長に亘って嵌合可能に形成され、
モジュール面材３４，３５，３６は、嵌合部３２ａに嵌合された端縁部に直交する方向の２辺間に亘る全長を有し、かつ、前記端縁部に沿う方向で複数に分割された帯板状に形成されている。
したがって、モジュール面材３４，３５，３６は、それぞれ、受材３２の嵌合部３２ａに嵌合され、モジュール面材３４，３５，３６を強固に一体化することができる。
【００４５】
(4)実施の形態１のダミーモジュールは、
モジュール面材３４，３５，３６は、隣り合って配置されたモジュール面材どうしで嵌り合う第２の嵌合部としての凹状溝３４２ｃ，３５２ｃおよび雄嵌合片３４３，３５３，３６３を有し、かつ、凹状溝３４２ｃ，３５２ｃおよび雄嵌合片３４３，３５３，３６３による第２の嵌合部を締結部材としてのブラインドリベット５１により締結して結合されている。
を備える。
したがって、パネル面材３１を複数のモジュール面材３４，３５，３６を結合するにあたり、単に締結部材により締結するものと比較して、より強固に確実に結合することができる。
【００４６】
(5)実施の形態１のダミーモジュールは、
パネル面材３１の裏面に、パネル面材３１と屋根面２２との間に介在されるバックアップ材４０が接合されている。
したがって、パネル面材３１の屋根面２２の方向への変形が抑制され、外観品質を良好に保つことができる。
【００４７】
(6)実施の形態１の屋根は、
上記(1)〜(5)のいずれかのダミーモジュールが屋根面２２に設置された屋根２０とした。
よって、コスト的に有利であるとともに、寸法の自由度が高いダミーモジュール３０を備えた屋根２０を提供することができる。
【００４８】
(7)実施の形態１の屋根は、
屋根面２２に、ダミーモジュール３０に加え、複数の太陽光発電モジュールＰＶが並設されている。
したがって、太陽光発電モジュールＰＶとダミーモジュール３０とを並設することにより、屋根面２２に、不要な太陽光発電モジュールＰＶの非設置領域ＮＩＡが生じるのを抑え、外観向上を図ることが可能となる。
【００４９】
(8)実施の形態１の屋根は、
ダミーモジュール３０は、受材３２が、屋根面２２に固定された取付ブラケット７０に結合されている。
したがって、ダミーモジュール３０を取付ブラケット７０に対して着脱可能とすることができ、ダミーモジュール３０を屋根面２２に直接固定したものと比較して、破損時などの補修作業性に優れる。
【００５０】
(9)実施の形態１の太陽光発電モジュールの設置構造を備える屋根２０は、
太陽光発電モジュールＰＶは、取付ブラケット７０を共用して、取付ブラケット７０に結合されている。
したがって、取付ブラケット７０を共用することにより、部品点数を削減してコスト低減を図ることが可能となる。加えて、上記(8)のように、太陽光発電モジュールＰＶについても、屋根面２２に対して着脱可能として補修作業性に優れる。
【００５１】
（実施の形態２）
次に、実施の形態２の屋根５２０について説明する。
実施の形態２の屋根５２０は、寄棟式の屋根であり、ダミーモジュール３０の配置が実施の形態１と異なる。なお、ダミーモジュール３０は、実施の形態１で用いたものである。
【００５２】
屋根５２０は、長方形の水平屋根面５２１と、傾斜屋根面５２２，５２３，５２４，５２５を備える。
【００５３】
太陽光発電モジュールＰＶは、南向きの傾斜屋根面５２３と、東および西側の傾斜屋根面５２２，５２４に設置されている。
また、太陽光発電モジュールＰＶの非設置領域ＮＩＡは、各傾斜屋根面５２２，５２３，５２４において、横方向の中央部分に設けられ、この太陽光発電モジュールＰＶの非設置領域ＮＩＡにダミーモジュール３０が設置されている。
【００５４】
したがって、補修時などには、ダミーモジュール３０を取り外すことにより、各傾斜屋根面５２２，５２３，５２４の中央に、通路を確保することができる。これにより、屋根５２０の隅棟側から補修作業を行うのと比較して、作業性に優れる。
【００５５】
以上、実施の形態のダミーモジュールおよび屋根について説明したが、本発明のダミーモジュールおよび屋根は、本実施の形態に限定されるものではなく、本発明の要旨を変更しない範囲で適宜変更が可能である。
例えば、実施の形態では、屋根としてユニット建物の屋根を示したが、ユニット建物以外の屋根にも設置することができる。また、屋根の形式も、切妻屋根に限定されず、寄棟屋根、陸屋根などの他の形式の屋根にも適用することができる。
【００５６】
また、実施の形態では、ダミーモジュールを太陽光発電モジュールと並設した例を示したが、これに限定されず、例えば、太陽光発電モジュールを設置しない北側の屋根面などに、ダミーモジュールのみを設置してもよい。
【００５７】
また、実施の形態では、ダミーモジュール３０を傾斜した屋根面２２に設けた例を示したが、水平の屋根面に設けてもよい。同様に、ダミーモジュール３０の設置位置も、実施の形態で示した位置に限定されない。例えば、実施の形態１では、ダミーモジュール３０を、屋根面２２の端部に設置したが、実施の形態２と同様に、横方向の中央や中央以外の中間部に設けてもよい。また、ダミーモジュールの形状も、平面形状が長方形のものに限定されず、実施の形態２で示した太陽光発電モジュールＰＶのように略三角形状などの他の形状としてもよい。
【符号の説明】
【００５８】
２０   屋根
２２   （南側の）屋根面
３０   ダミーモジュール
３１   パネル面材
３４   （第１の）モジュール面材
３５   （第２の）モジュール面材
３６   （第３の）モジュール面材
４０   バックアップ材
５１   ブラインドリベット（締結部材）
７０   取付ブラケット
３４２ｃ      凹状溝（第２の嵌合部）
３４３ 雄嵌合片（第２の嵌合部）
３５２ｃ      凹状溝（第２の嵌合部）
３５３ 雄嵌合片（第２の嵌合部）
３６３        雄嵌合片（第２の嵌合部）
ＰＶ   太陽光発電モジュール
ＵＢ   ユニット建物
【図１】
2019190145.tif 000003
【図２Ａ】
2019190145.tif 000004
【図２Ｂ】
2019190145.tif 000005
【図３】
2019190145.tif 000006
【図４Ａ】
2019190145.tif 000007
【図４Ｂ】
2019190145.tif 000008
【図４Ｃ】
2019190145.tif 000009
【図５Ａ】
2019190145.tif 000010
【図５Ｂ】
2019190145.tif 000011
【図５Ｃ】
2019190145.tif 000012
【図５Ｄ】
2019190145.tif 000013
【図６】
2019190145.tif 000014
【図７】
2019190145.tif 000015
【図８】
2019190145.tif 000016
【図９】
2019190145.tif 000017
【図１０】
2019190145.tif 000018
【図１１Ａ】
2019190145.tif 000019
【図１１Ｂ】
2019190145.tif 000020
【図１２Ａ】
2019190145.tif 000021
【図１２Ｂ】
2019190145.tif 000022
【図１２Ｃ】
2019190145.tif 000023